(57)【特許請求の範囲】
【請求項１】
取付面に取付けられる底壁を有し前記底壁の周縁に立設された周壁を有する絶縁性のボディと、このボディの前記周壁の外周面に被さる略箱状であって内底面および内側面の少なくとも一方に電線およびランプピン等の導電体を挿通する導電体用開口を有し側方に取付け用突起を有する絶縁性のカバーと、前記ボディおよび前記カバーの内部に収納されて前記導電体に接するとともにリード線が接続された導電金具とを備え、前記カバーの材料は前記ボディの材料より機械的強度が強い熱可塑性樹脂であり、前記ボディの材料は前記カバーの材料よりトラッキング性能が高い熱可塑性樹脂である給電部品。
【発明の詳細な説明】
【０００１】
【発明の属する技術分野】
この発明は、ランプソケットおよび端子台等の給電部品に関するものである。
【０００２】
【従来の技術】
従来の蛍光灯ソケットを図３から図６により説明する。図３は分解斜視図であり、１００はポリカーボネートを用いたボディ、１０１はランプピンが接触する導電金具、１０２はボディと同材料のカバー、１０３は取付用突起、１０４は回転子、１０５は回転子１０４を装着するランプピン挿入穴、１０６は電線挿入穴である。
【０００３】
図４はソケット台１０７にボディ１００を対向して取付用突起１０３により取付孔に取付けた状態である。
図５は照明器具を示し、１０８は器具本体、１０９は上記の蛍光灯ソケット、１１０は直管の蛍光ランプ、１１１は安定器、１１２は電源入力用の端子台である。
【０００４】
図６は蛍光灯ソケット１０９と、蛍光ランプ１１０と、ソケット台１０７とを示す。
蛍光灯ソケット１０９の場合、ボディ１００にポリカーボネートを用いると図４に示すように破線１１４の経路でトラッキングが発生する。またカバー１０２にポリプロピレンを用いた場合、図５の器具本体１０８に蛍光灯ソケット１０９を取付け、蛍光灯ソケット１０９に蛍光ランプ１１０を装着したままで図５の照明器具を製造工場から市場に輸送する際、取扱中の衝撃により、取付け用突起１０３が折れるトラブルがある。この力は蛍光ランプ１１０および蛍光灯ソケット１０９の自重で発生する力が取付け用突起１０３を剪断するからである。
【０００５】
このように外力が強く加わった時の問題は、一般の屋内配線においても端子台に接続した電線のくせ直しするために電線の端を強く引っ張る場合などでも同様に故障を生じることがある。
端子台を図７から図９に示す。図７は分解斜視図であり、１２０はボディ、１２１はカバー、１２２は速結端子構造の導電金具、１２３、１２４は電線挿入穴、１２５は取付用突起である。
【０００６】
図８は取付板１２６に取付けた状態の断面図、図９は取付前の分解斜視図である。１２７は取付用突起１２５の嵌合する孔、１２８はリード線である。
この端子台の場合、ボディ１２０を熱硬化性樹脂（例えばユリア樹脂やメラミン樹脂等）で構成した場合、初期状態においては耐トラッキング性のよいものが得られるが、長期間使用していると、熱硬化性樹脂は周囲温度の上昇の影響を受けて熱収縮（ユリア樹脂で約１％）を生じ次第にカバー１２１とのはめ合い部分に隙間１２９が広がり、端子台に液体がかかると外部から内部に浸入しやすくなり、トラッキング性能が低下し漏電を起こすことがある。
【０００７】
【発明が解決しようとする課題】
従来の同一材料の組合せによるランプソケットにおいて、使用する材料により特性に長所と短所が存在するため、ランプソケットに要求される性能をすべて満たすことができないという欠点があった。
したがって、この発明の目的は、トラッキング性能および衝撃強度を向上することができる給電部品を提供することである。
【０００８】
【課題を解決するための手段】
請求項１記載の給電部品は、取付面に取付けられる底壁を有し前記底壁の周縁に立設された周壁を有する絶縁性のボディと、このボディの前記周壁の外周面に被さる略箱状であって内底面および内側面の少なくとも一方に電線およびランプピン等の導電体を挿通する導電体用開口を有し側方に取付け用突起を有する絶縁性のカバーと、前記ボディおよび前記カバーの内部に収納されて前記導電体に接するとともにリード線が接続された導電金具とを備え、前記カバーの材料は前記ボディの材料より機械的強度が強い熱可塑性樹脂であり、前記ボディの材料は前記カバーの材料よりトラッキング性能が高い熱可塑性樹脂である。
【０００９】
請求項１記載の給電部品によれば、カバーとボディの異種材料の組合せにより個々に材料の長所を利用することができる。したがって、トラッキング性能および衝撃強度を満足させることができると同時に材料コストも低下できる。
【００１０】
さらに、ボディにトラッキング性能の高い材料を使用するために、絶縁距離の縮小ができるので小型化が可能になる。
【００１１】
また、カバーの材料を衝撃強度の高い熱可塑性樹脂で構成することにより、カバーの側方に有する取付用突起の強度向上を図れ、ボディの材料をトラッキング指数の高い熱可塑性樹脂で構成することにより、トラッキング性能の向上を図ることができる。
【００１２】
【発明の実施の形態】
この発明の一実施の形態を図１および図２により説明する。すなわち、この給電部品はランプソケット例えば蛍光灯ソケットであり、ボディ１と、カバー２と、導電金具３とを有する。
ボディ１は絶縁性であり、器具本体のソケット台の取付面（図示せず）に取付けられる。
【００１３】
カバー２はボディ１と異種材料の絶縁性であり、ボディ１に閉止される開口４を一面に形成した略箱状であって、開口４の内底面および内側面に電線およびランプピン等の導電体を挿通する導電体用開口５、７を有し、側方に取付け用突起６を有する。実施の形態では導電体用開口５がカバー２の底面に形成され、これに回転子８が回転自在に装着され、回転子８のランプピン挿通溝９にランプピンが挿通されて導電金具３に接触接続する。回転子８は中央の筒部８ａ内に引掛部８ｂを有し、ボディ１の中心に設けた割り付き筒部１１の爪１１ａに回動自在に係止して取付けられる。導電体用開口７はカバー２の側面に形成され、これにリード線が通されて導電金具３に速結接続される。１０は解除用孔である。導電体用開口７および解除用孔１０に整合するようにボディ１の側壁に孔７ａ、１０ａが形成されている。またカバー２の材料はボディ１の材料より機械的強度が強く、ボディ１の材料はカバー２の材料よりトラッキング性能が高いものを用いる。例えば、カバー２の材料はボディ１の材料より機械的強度が強い熱可塑性樹脂であり、ボディ１の材料はカバー２の材料よりトラッキング性能が高い熱可塑性樹脂である。具体的にはカバー２の材料としてポリカーボネート（ＰＣ）、またはポリエーテルイミド（ＰＥＩ）が好ましく、ボディ１の材料としてポリプロピレン（ＰＰ）、またはナイロン（ＰＡ）が好ましい。
【００１４】
導電金具３はボディ１およびカバー２の内部に収納されて導電体に接するとともにリード線が接続されている。実施の形態ではボディ１に設けたリブ１ａにより位置決めされかつ絶縁され、導電体にランプピンが接するとともに、導電金具３に設けられた速結端子にリード線が速結接続されている。
この実施の形態において、ＰＣすなわちポリカーボネートは機械的強度に優れている長所があるが、耐トラッキング性が劣る欠点がある。またＰＰすなわちポリプロピレンやナイロンは耐トラッキング性は優れる長所があるが、引っ張り強度、アイゾット衝撃値、および曲げ強度が劣る欠点がある。
【００１５】
蛍光灯ソケットの場合、電気的には、ポリカーボネートは耐トラッキング性が悪いため、これをボディ１に用いると蛍光ランプを点灯中に雨水などが浸入して、充電部と取付板の間を水によりつなぐとトラッキングが進行し、アークから発火・燃焼することがある。これに対してポリプロピレンやナイロンはトラッキング性能が良好で上記障害が起こらない。
【００１６】
また機械的には、ポリカーボネートはアイゾット衝撃強度（ノッチ付）８２で、蛍光ランプを取付けたままで照明器具を床面に落下した場合６０ｃｍの落差に耐える。ポリプロピレンやナイロンはアイゾット衝撃強度（ノッチ付）２．８であり、これをカバー２に用いたときは、蛍光ランプを取付けたままで照明器具を床面に落下すると４０ｃｍの落差で取付用突起が折れた。このように取付用突起６がポリカーボネートにより構成されているため、衝撃強度の向上により取付用突起６の破損がなく、ボディ１はポリプロピレンによりトラッキング性能を向上でき、また導電金具３を覆うようにリブ１ａが形成されて主に絶縁性を確保している。
【００１７】
表１に示す材料比較表の最下欄より明らかなように、ボディ１およびカバー２の材料が同じものと比較して、この実施の形態はトラッキング性能および取付強度ともに優れたものとなる。
【００１８】
【表１】
0003710622.tif 000002
【００１９】
ここで、◎は良い（またはコストが安い）であり、○は普通（またはコストが普通）であり、△は悪い（またはコストが高い）である。
すなわち、この実施の形態によれば、カバー２とボディ１の異種材料の組合せにより個々に材料の長所を利用することができる。したがって、トラッキング性能および衝撃強度を満足させることができると同時に材料コストも低下できる。
【００２０】
またボディ１にトラッキング性能の高い材料を使用するために、絶縁距離の縮小ができるので小型化が可能になる。
さらに、カバー２の材料を衝撃強度の高い熱可塑性樹脂で構成することにより、カバー２の側方に有する取付用突起６の強度向上を図れ、ボディ１の材料をトラッキング指数の高い熱可塑性樹脂で構成することにより、トラッキング性能の向上を図ることができる。
【００２１】
なおこの発明において、導電体用開口５、７はカバー２の内底面および内側面のみならず、底面または側面の一方に設ける場合がある。またこの発明の給電部品として、ランプソケットおよび電線接続用端子台のどちらにも応用可能である。また端子台の場合導電金具に導電体としての電線が接し、リード線が接続される。
【００２２】
【発明の効果】
請求項１記載の給電部品によれば、カバーとボディの異種材料の組合せにより個々に材料の長所を利用することができる。したがって、トラッキング性能および衝撃強度を満足させることができると同時に材料コストも低下できる。また、ボディにトラッキング性能の高い材料を使用するために、絶縁距離の縮小ができるので小型化が可能になる。
【００２３】
さらに、カバーの材料を衝撃強度の高い熱可塑性樹脂で構成することにより、カバー側方に有する取付用突起の強度向上を図れ、ボディの材料をトラッキング指数の高い熱可塑性樹脂で構成することにより、トラッキング性能の向上を図ることができる。
【図面の簡単な説明】
【図１】この発明の一実施の形態のランプソケットの分解斜視図である。
【図２】組立状態の斜視図である。
【図３】従来例のランプソケットの分解斜視図である。
【図４】その取付状態の側面図である。
【図５】器具本体への取付状態の一部省略側面図である。
【図６】その部分拡大図である。
【図７】端子台の分解斜視図である。
【図８】断面図である。
【図９】取付板に取付ける前の斜視図である。
【符号の説明】
１    ボディ
２    カバー
３    導電金具
４    開口
５、７    導電体用開口
６    取付用突起
【図１】
0003710622.tif 000003
【図２】
0003710622.tif 000004
【図３】
0003710622.tif 000005
【図４】
0003710622.tif 000006
【図５】
0003710622.tif 000007
【図６】
0003710622.tif 000008
【図７】
0003710622.tif 000009
【図８】
0003710622.tif 000010
【図９】
0003710622.tif 000011